(57)【要約】【課題】はたき片を園芸施設の外表面に取り付けることができる取付具を提供する。【解決手段】取付具１は、園芸施設の外表面に固定される本体部材３と、本体部材３に立設された軸部材４と、軸部材４に旋回可能に設けられ、先端部にはたき片２を取付可能な羽根部材５と、を備える。本体部材３は、園芸施設の骨組みをなすパイプに装着可能な筒状ホルダー３０からなる。【選択図】図１
2014223056.tif 000002
【特許請求の範囲】
【請求項１】
園芸施設の外表面を清掃するためのはたき片を園芸施設の外表面に取り付けるための取付具であって、
園芸施設の外表面に固定される本体部材と、
前記本体部材に設けられた軸部材と、
前記軸部材に旋回可能に設けられ、先端部に前記はたき片を取付可能な羽根部材と、を備える取付具。
【請求項２】
前記羽根部材は、長さ方向の中心位置において前記軸部材に旋回可能に取り付けられ、前記羽根部材の少なくとも１つの先端部に前記はたき片を取付可能である請求項１に記載の取付具。
【請求項３】
前記羽根部材は、先端部がねじられている請求項１又は２に記載の取付具。
【請求項４】
前記羽根部材と前記はたき片とを連結する取付補助具をさらに備える請求項１〜３のいずれかに記載の取付具。
【請求項５】
前記本体部材は、園芸施設の骨組みをなすパイプに装着可能な筒状ホルダーからなる請求項１〜４のいずれかに記載の取付具。
【請求項６】
前記本体部材は、園芸施設の被覆フィルムを展張するために園芸施設に設けられる蟻溝フレームの開口を塞ぐことが可能なカバーからなる請求項１〜４のいずれかに記載の取付具。
【請求項７】
前記本体部材は、園芸施設の骨組みをなすパイプもしくは園芸施設の被覆フィルムを展張するために園芸施設に設けられる蟻溝フレームの蟻溝に止着可能な板状レールからなる請求項１〜４のいずれかに記載の取付具。
【発明の詳細な説明】
【技術分野】
【０００１】
本発明は、園芸施設の外表面を清掃するためのはたき片を園芸施設の外表面に取り付けるための取付具に関する。
【背景技術】
【０００２】
従来から、野菜や果物などの植物をプラスチックハウスやガラス温室などの園芸施設で栽培することが広く行われている。この種の園芸施設で野菜や果実などを栽培する際には、施設内の保温及び施設内への太陽光の採光が必要となるが、時間の経過に伴い、塵や埃、花粉などが施設表面に付着したり、苔や藻などが施設表面に発生したりして汚れとなる。園芸施設の外表面が汚れると、施設内への太陽光の採光が汚れにより遮られることで、日射不足が原因で収穫予定時期が遅れたり、収穫量が低下したりするなどの損害を受ける。そのため、汚れを落とすために施設表面をブラシで擦ったり、洗浄機を用いて水を噴射したりするなど、定期的に園芸施設の外表面を人手で清掃することが行われている。
【発明の概要】
【発明が解決しようとする課題】
【０００３】
しかし、園芸施設の清掃作業は重労働であり、農家自らが行うと、多大な労力や時間がかかって農家に大変な負担となるだけでなく、水や電気等の動力を使用するのでランニングコストも必要となる。また、園芸施設の天井部を清掃する作業などは、足を滑らせて落下するおそれがあり、清掃作業に危険が伴うという問題がある。一方で、外部の業者に清掃作業を委託すると、清掃コストが嵩むという問題がある。また、特にプラスチックハウスの表面をブラシ等で強く擦ると、フィルムに傷が付き、曇りガラスのようになって、採光性が低下するという問題がある。
【０００４】
そこで、本出願人は、例えばプラスチック材からなる細長形状のはたき片を園芸施設の外表面に取り付け、はたき片を風力により園芸施設の外表面を摺動させて、はたき片により施設表面に付着した塵や埃等をはたいて施設表面から払い落とすことで、施設表面の汚れを除去できることを見出した。ただし、上記したはたき片を園芸施設の外表面に取り付けるための取付具については、未だ好適なものがないのが現状である。
【０００５】
本発明は、上記した問題に着目してなされたもので、園芸施設の外表面を清掃するためのはたき片を園芸施設の外表面に取り付けるのに好適な取付具を提供することを目的とする。
【課題を解決するための手段】
【０００６】
本発明の上記目的は、園芸施設の外表面を清掃するためのはたき片を園芸施設の外表面に取り付けるための取付具であって、園芸施設の外表面に固定される本体部材と、前記本体部材に設けられた軸部材と、前記軸部材に旋回可能に取り付けられ、先端部に前記はたき片を取付可能な羽根部材と、を備える取付具によって達成される。
【０００７】
上記構成の取付具の好ましい実施態様は、前記羽根部材は、長さ方向の中心位置において前記軸部材に旋回可能に取り付けられ、前記羽根部材の少なくとも１つの先端部に前記はたき片を取付可能であることを特徴としている。
【０００８】
さらに好ましい実施態様は、前記羽根部材は、先端部がねじられていることを特徴としている。
【０００９】
さらに好ましい実施態様は、前記羽根部材と前記はたき片とを連結する取付補助具をさらに備えることを特徴としている。
【００１０】
さらに好ましい実施態様は、前記本体部材は、園芸施設の骨組みをなすパイプに装着可能な筒状ホルダーからなることを特徴としている。
【００１１】
また、上記構成の取付具の他の好ましい実施態様は、前記本体部材は、園芸施設の被覆フィルムを展張するために園芸施設に設けられる蟻溝フレームの開口を塞ぐことが可能なカバーからなることを特徴としている。
【００１２】
また、上記構成の取付具の他の好ましい実施態様は、前記本体部材は、園芸施設の骨組みをなすパイプもしくは園芸施設の被覆フィルムを展張するために園芸施設に設けられる蟻溝フレームの蟻溝に止着可能な板状レールからなることを特徴としている。
【発明の効果】
【００１３】
本発明によれば、
【図面の簡単な説明】
【００１４】
【図１】本発明の一実施形態に係る取付具の平面図である。
【図２】図１の取付具の側面図である。
【図３】図１の取付具の変形例の平面図である。
【図４】図１の取付具の変形例の平面図である。
【図５】他の実施形態に係る取付具の平面図である。
【図６】図５の取付具の側面図である。
【図７】他の実施形態に係る取付具の斜視図である。
【図８】他の実施形態に係る取付具の平面図である。
【図９】図８の取付具の側面図である。
【図１０】はたき片の平面図である。
【図１１】図１０の側面図である。
【図１２】清掃具を園芸施設に取り付けた状態を示す説明図である。
【図１３】はたき片の平面図である。
【図１４】プラスチックハウス（園芸パイプハウス）の概略構成を示す斜視図である。
【図１５】はたき片をプラスチックハウス（園芸パイプハウス）に取り付けた状態を示す説明図である。
【図１６】蟻溝フレームの斜視図である。
【発明を実施するための形態】
【００１５】
以下、本発明の実施形態について添付図面を参照して説明する。なお、本発明は、下記の実施形態に限定されるものではない。
【００１６】
図１及び図２は、本発明の一実施形態に係る取付具１の外観構成を示している。本発明の取付具１は、プラスチックハウスやガラス温室などの野菜や果物などの植物を栽培するための園芸施設を清掃するために用いられるはたき片２（図１０及び図１１に示す）を、園芸施設の外表面に着脱自在に取り付けるためのものである。本実施形態では、園芸施設として、図１４に示すような、主に丸形鋼管のパイプ１１やアルミニウム部材などからなる骨組材を組み上げ、骨組材に沿って主原料合成樹脂からなる被覆フィルム１２を展張して構成されるプラスチックハウス（パイプハウス）１０を例にして説明している。この種のプラスチックハウス１０は、時間の経過に伴い、ハウス表面に塵や埃、花粉などが付着したり、苔や藻が発生したりするなどして汚れとなるが、本発明の取付具１を介してはたき片２をハウス表面に取り付け、はたき片２がハウス表面を摺動することで、はたき片２により効率的にハウス表面の汚れを落とすことが可能となる。
【００１７】
はたき片２は、プラスチック製であり、帯状又は紐状の細長形状を有している。本実施形態では、図１０及び図１１に示すように、はたき片２は、所定の幅を有する帯状のプラスチックフィルムからなる。プラスチックフィルムとしては、塩化ビニルフィルムやポリオレフィンフィルムなどを好ましく例示することができるが、この中でも、適度な強度と、耐久性を高めるために、ポリオレフィンフィルムを好適に用いることができる。また、プラスチックフィルムには、必要な物性、機能に応じて種々の添加剤を加えることができるが、プラスチックフィルムに耐久性を高めるために、耐候剤を添加することが好ましい。はたき片２の厚みは、特に限定されるものではないが、雨や風さらにはハウス表面の摺動に対する強度や、風に舞ってハウス表面を揺れ動くための重さなどを考慮して５０μｍ〜２００μｍ程度が好ましく、１５０μｍ程度がより好ましい。また、はたき片２の幅は、特に限定されるものではないが、はたきとしての使用形態上、３ｃｍ〜１５ｃｍ程度が好ましく、５ｃｍ〜１０ｃｍ程度がより好ましい。また、はたき片２の長さは、プラスチックハウス１０の規模や設置場所の高低により適宜設定されるが、プラスチックハウス１０の天井部から肩部まで延びる程度（１ｍ〜５ｍ程度）であることが好ましい。また、ハウス表面に取り付けられるはたき片２の枚数としては、特に限定されるものではないが、重くならずかつ互いに絡まずに風に舞ってハウス表面を揺れ動くためには、１〜１０枚程度が好ましく、３枚〜５枚程度がより好ましく、１枚〜２枚がさらに好ましい。
【００１８】
はたき片２の一端部側の幅方向中央位置には、貫通孔２０が形成されている。貫通孔２０の孔周縁は、例えば鳩目加工などにより補強されている。この貫通孔２０には、はたき片２を、後述する取付具１の羽根部材５に連結するための取付補助具６が取り付けられる。取付補助具６は、はたき片２の貫通孔２０と取付具１の羽根部材５の貫通孔５０Ａ，５０Ｂとを連結可能なものであれば、特に限定されるものではなく、図１０（及び図１１）や図１２に示す従来から公知のキーホルダーの他、紐やわっか状にできるプラスチック製の留具など、種々のものを用いることができる。なお、図１０及び図１１のキーホルダーは、羽根部材５の貫通孔５０Ａ，５０Ｂに取付可能なフック部６１と、はたき片２の貫通孔２０に取付可能なリング６２と、フック部６１及びリング６２をフリーな状態（フック部６１に対してリング６２が前後左右に回転可能な状態）で連結するためのチェーンリンク部６３とを備えている。また、図１２のキーホルダーは、羽根部材５の貫通孔５０Ａ，５０Ｂ及びはたき片２の貫通孔２０を取付可能な略Ｃ字状のリング状部材６４と、リング状部材６４の一端部６４Ａに回転可能かつスライド可能に設けられた筒状の金具６５とを備えている。金具６５の内周面に形成された雌ネジ（図示せず）をリング状部材６４の他端部６４Ｂに形成された雄ネジ（図示せず）に螺合させて、リング状部材６４の一端部６４Ａ及び他端部６４Ｂの間の開口（図示せず）を閉じることで、はたき片２と取付具１の羽根部材５とが連結される。
【００１９】
なお、はたき片２は帯状に形成されているが、これに限られるものではなく、例えば図１３に示すように紐状に形成され、１又は複数の紐材からなるはたき片２を取付補助具６に取り付けるようにしてもよい。紐材は、１本又は複数の平版・丸形のコードや軟質系の棒状のロープで構成することもできる。
【００２０】
取付具１は、図１及び図２に示すように、プラスチックハウス１０（園芸施設）の外表面に固定可能な本体部材３と、本体部材３に立設された軸部材４と、軸部材４に旋回可能に設けられた羽根部材５とを備えている。
【００２１】
本体部材３は、本実施形態では、硬質の合成樹脂製の筒状ホルダー３０からなる。筒状ホルダー３０は、円筒の外周面の一部に直線状の開口３１を設けた断面視Ｃ字状に形成されている。この筒状ホルダー３０は、一般にパッカーと呼ばれるプラスチックハウス１０の骨組みをなすパイプ１１に着脱自在に装着可能な係止具であり、プラスチックハウス１０の被覆フィルム１２をパイプ１１に挟み付け固定するためのものである。なお、筒状ホルダー３０の形状は、特に限定されるものではなく、パイプ１１に装着可能なものであれば、適宜形状を変更することができる。筒状ホルダー３０の長さ方向及び幅方向の中央位置には、軸部材４を挿通可能な挿通孔（図示せず）が形成されている。
【００２２】
軸部材４は、金属製であり、丸棒状に形成されている。本実施形態では、軸部材４は、外周面に雄ネジが切られたネジ軸からなり、筒状ホルダー３０の内側面から前記挿通孔に軸部材４を相通することで、筒状ホルダー３０の外側面から突出している。軸部材４の一端部には、前記挿通孔よりも外形が大きいストッパー４０が設けられており、軸部材４が前記挿通孔から抜け出るのが規制されている。また、本実施形態では、軸部材４の雄ネジと螺合する雌ネジが内周面に切られた第１のボルト４１を締め付けることで、軸部材４が本体部材３に固定されている。なお、軸部材４は、必ずしもネジ軸からなる必要はなく、軸部材４が筒状ホルダー３０の外側面に接着剤などを用いて一体に突設されていてもよい。
【００２３】
羽根部材５は、金属製であり、細長い板状に形成されている。羽根部材５の両端部には貫通孔が形成されている。羽根部材５の一方の貫通孔は、本実施形態では、軸部材４が挿通される挿通孔５０Ａとして機能し、羽根部材５は、軸部材４の片側から水平に延びるとともに、軸部材４を中心にして旋回可能である。軸部材４の羽根部材５の上方位置には、軸部材４と螺合する第２のボルト４２が固着されており、羽根部材５は第２のボルト４２により軸部材４から抜け出るのが規制されている。羽根部材５と第１のボルト４１及び第２のボルト４２との間には、それぞれワッシャ４３，４４が介在されている。羽根部材５の先端部の貫通孔は、はたき片２０を羽根部材５に連結するための取付補助具６が取り付けられる取付孔５０Ｂとして機能する。なお、図１及び図２において、符号４５は、羽根部材５を被覆して保護するプラスチック製のカバーである。
【００２４】
羽根部材５の形状は、本実施形態では、長さ方向の中央部が両端部よりも凹んだ形状に形成されているが、真っ直ぐ水平方向に延びる形状であってもよく、特に限定されるものではない。また、図３に示すように、羽根部材５の長さを、図１の羽根部材５の長さよりも長くし、羽根部材５の両端部の貫通孔に加えて、羽根部材５の長さ方向中心位置にも貫通孔を形成してもよい。そして、羽根部材５の真ん中の貫通孔を軸部材４が挿通される挿通孔５０Ａとし、羽根部材５を軸部材４の両側から水平に延ばすとともに軸部材４に対して旋回可能とし、羽根部材５の２つの先端部の貫通孔を、それぞれ、はたき片２０を羽根部材５に連結するための取付補助具６が取り付けられる取付孔５０Ｂとしてもよい。また、図３に示す羽根部材５において、図４に示すように、２つの先端部を中央部に対して捩ることで各先端部を起こし、中央部に対して約９０度の角度をなすように変形させてもよい。これにより、各先端部が風を受けることで、羽根部材５は風を利用して旋回しやすくなっている。なお、図１に示す羽根部材５においても同様に、図示は省略するが、一方の端部（先端部）を他方の端部に対して捩ることで先端部を起こし、他方の端部に対して約９０度の角度をなすように変形させてもよい。また、羽根部材５は、必ずしも板状である必要はなく、両端部、必要であれば長さ方向の中央部に、取付補助具６を連結したり、軸部材４を挿通したりするための貫通孔を有していれば、棒状や筒状であってもよい。また、図３に示す羽根部材５は、平面視がＩ字状であり、両端部の２つの貫通孔に取付補助具６が取り付けられるようになっているが、羽根部材５の平面視形状を＋字状や＊字状など、中心位置となる軸部材４から放射状に延びるような形状とし、３つ以上の先端部に形成した貫通孔に取付補助具６を取り付けられるようにしてもよい。
【００２５】
本実施形態の取付具１によれば、図１５に示すように、筒状ホルダー３０からなる本体部材３をプラスチックハウス１０の骨組みをなすパイプ１１に装着することで、取付具１自体をプラスチックハウス１０の外表面に容易に固定することができる。そして、羽根部材５の貫通孔（図１では貫通孔５０Ｂ、図３及び図４では貫通孔５０Ａ，５０Ｂ）に取付補助具６を介してはたき片２を連結することで、はたき片２をプラスチックハウス１０の外表面に取り付けることができる。プラスチックハウス１０の外表面に取り付けられたはたき片２は、風力により、ハウス表面を自在に揺れ動き、ハウス表面に当接しながら摺動する。これにより、はたき片２０によりハウス表面に付着した塵や埃などがはたかれてハウス表面から払い落とされるので、ハウス表面の汚れを効率的に除去することができる。また、ハウス内への太陽光の採光がハウス表面の汚れにより邪魔されることを防止できる。
【００２６】
さらに、はたき片２が風力によりハウス表面を揺れ動く際に、羽根部材５が軸部材４を中心に旋回することで、はたき片２が広域に揺り動かされ、はたき片２をハウス表面の広範囲にわたって摺動させることができる。その結果、ハウス表面に付着した塵や埃などをはたき片２により広範囲にわたってはたくことができ、ハウス表面の汚れを効果的に除去することができる。
【００２７】
さらに、従来からプラスチックハウス１０のパイプ１１に装着されているパッカーと呼ばれる円筒ホルダー３０を本体部材３に採用して取付具１を構成しているので、取付具１のハウス表面への着脱が新たな手間とならず、かつ、着脱が容易であるうえ、取付具１を所望の位置に取り付けることができる。また、軸部材４及び羽根部材５の構造も簡易であるので、低コストで製造することができる。
【００２８】
以上、本発明の一実施形態について説明したが、本発明の具体的な態様は上記実施形態に限定されない。例えば、上記実施形態においては、本体部材３を筒状ホルダー３０により構成しているが、プラスチックハウス１０（園芸施設）の外表面に固定可能なものであれば、特に限定されるものではない。例えば、図１６に示すようなビニペット（登録商標）と称する蟻溝フレーム１４を骨組材に横方向又は縦方向に架設し、この蟻溝フレーム１４に弾性な係止線条１３を介して被覆フィルム１２を展張している構成のプラスチックハウス（ビニペット（登録商標）使用ハウス）では、本体部材３を、図５及び図６に示すような、蟻溝フレーム１４の開口１５を塞ぐことが可能なカバー３２により構成することができる。なお、蟻溝フレーム１４は、一般的に、平板状の底部１６と、底部１６の両側縁から長手方向に沿って延びる左右一対の側部１７とからなり、一対の側部１７が内側に向けて斜めに起立していることで、その間に上方に向けて巾峡の蟻溝１８が形成されたものである。
【００２９】
カバー３２は、硬質の合成樹脂製であり、一般に、プラスチックハウス１０の被覆フィルム１２を蟻溝フレーム１４に挟み付け固定するためのものである。カバー３２は、蟻溝１８の上部の開口１５の幅よりもやや幅広であり、幅方向中央部が上方に向けてやや湾曲した上面部３３と、上面部３３の下面に設けられ、蟻溝フレーム１４の各側部１７の内側にそれぞれ引っ掛かる一対の脚部３４とからなる。各脚部３４は、くの状に折り曲がるように形成されており、これにより、カバー３２を蟻溝フレーム１４に着脱させるのが容易となっている。カバー３２を蟻溝フレーム１４の開口１５に装着することで、取付具１がプラスチックハウス１０の外表面に固定される。なお、カバー３２の形状は、特に限定されるものではなく、蟻溝フレーム１４の開口１５を塞ぐことが可能なものであれば、適宜形状を変更することができる。
【００３０】
カバー３２の長さ方向及び幅方向の中央位置に、軸部材４を挿通可能な挿通孔（図示せず）が形成されている。軸部材４及び羽根部材５の構成は、上記実施形態と同じであり、ここでは、詳細な説明は省略するが、羽根部材５を、軸部材４の片側から略水平方向に延びるように設け、羽根部材５の先端部の貫通孔５０Ｂに取付補助具６を介してはたき片２を取り付けてもよいし、羽根部材５を、軸部材４の両側から略水平方向に延びるように設け、両側の先端部の貫通孔５０Ａ，５０Ｂに取付補助具６を介してはたき片２をそれぞれ取り付けてもよい。また、羽根部材５の先端部を中央部に対して捩ることで先端部を起こし、中央部に対して約９０度の角度をなすように変形させてもよい。
【００３１】
この実施形態の取付具１においても、カバー３２からなる本体部材３をプラスチックハウス１０の蟻溝フレーム１４に装着することで、取付具１自体をプラスチックハウス１０の外表面に容易に固定することができる。そして、羽根部材５の貫通孔５０Ｂ（及び５０Ａ）に取付補助具６を介してはたき片２を連結することで、はたき片２をプラスチックハウス１０の外表面に取り付けることができ、風力によりはたき片２がハウス表面を広範囲に摺動することで、ハウス表面の汚れを効率的に除去することができるうえ、ハウス内への太陽光の採光がハウス表面の汚れにより邪魔されることを防止できる。さらに、従来からプラスチックハウス１０のビニペット（登録商標）に装着されているカバー３２を本体部材３に採用して取付具１を構成しているので、取付具１のハウス表面への着脱が新たな手間とならず、かつ、着脱が容易であるうえ、取付具１を所望の位置に取り付けることができる。また、軸部材４及び羽根部材５の構造も簡易であるので、低コストで製造することができる。
【００３２】
また、ビニペット（登録商標）使用ハウスでは、本体部材３を、図７に示すような、蟻溝フレーム１４の蟻溝１８に係止することが可能な金属製の係止具５１により構成することができる。この係止具５１は、金属線を曲げ加工して形成されており、一般にスプリングと呼ばれるプラスチックハウス１０の被覆フィルム１２を蟻溝フレーム１４に挟み付け固定するための係止線条１３を加工したものである。この係止具５１は、交互に連続する上辺部５２及び下辺部５３と、上辺部５２及び下辺部５３を接続する傾斜辺部５４とを有している。上辺部５２から下辺部５３までの高さは、係止具５１が蟻溝フレーム１４の蟻溝１８に嵌合する大きさに設定されている。一端側の上辺部５２の先端は、前方に突き出た後、上方に延びており、その先端に、軸部材４が一体に設けられている。軸部材４には上下一対の規制部材５４，５５が固着されており、羽根部材５は上下一対の規制部材５４，５５の間にそれぞれワッシャ４３，４４を介して、軸部材４を中心にして旋回可能に取り付けられている。なお、羽根部材５の構成は、上記実施形態と同じであり、ここでは、詳細な説明は省略するが、羽根部材５を、軸部材４の片側から略水平方向に延びるように設け、羽根部材５の先端部の貫通孔５０Ｂに取付補助具６を介してはたき片２を取り付けてもよいし、羽根部材５を、軸部材４の両側から略水平方向に延びるように設け、両側の先端部の貫通孔５０Ａ，５０Ｂに取付補助具６を介してはたき片２をそれぞれ取り付けてもよい。また、羽根部材５の先端部を中央部に対して捩ることで先端部を起こし、中央部に対して約９０度の角度をなすように変形させてもよい。
【００３３】
この実施形態の取付具１においても、係止具５１からなる本体部材３をビニペット使用のプラスチックハウス１０の蟻溝フレーム１４に装着することで、取付具１自体をプラスチックハウス１０の外表面に容易に固定することができる。そして、羽根部材５の貫通孔５０Ｂ（及び５０Ａ）に取付補助具６を介してはたき片２を連結することで、はたき片２をプラスチックハウス１０の外表面に取り付けることができ、風力によりはたき片２がハウス表面を広範囲に摺動することで、ハウス表面の汚れを効率的に除去することができるうえ、ハウス内への太陽光の採光がハウス表面の汚れにより邪魔されることを防止できる。さらに、従来からプラスチックハウス１０のビニペット（登録商標）に装着されている係止線条１３を本体部材３に採用して取付具１を構成しているので、取付具１のハウス表面への着脱が新たな手間とならず、かつ、着脱が容易であるうえ、取付具１を所望の位置に取り付けることができる。また、軸部材４及び羽根部材５の構造も簡易であるので、低コストで製造することができる。
【００３４】
また、その他の取付具１の実施形態として、本体部材３を、図８及び図９に示すような、板状レール３５により構成することもできる。板状レール３５は、例えば蟻溝フレーム１４の蟻溝１８に嵌合する大きさに形成される。板状レール３５には、長さ方向及び幅方向の中央位置に軸部材４を挿通可能な挿通孔（図示せず）が形成されているとともに、前記挿通孔の両側に、ネジ挿入孔３６が複数形成されており、板状レール３５を蟻溝フレーム１４の蟻溝１８に嵌め込み、蟻溝フレーム１４の底部１６にネジなどで固定することで、プラスチックハウス１０の外表面に固定される。なお、この板状レール３５は、蟻溝フレーム１４に限らず、プラスチックハウス１０の骨組みをなすパイプ１１に固定してもよく、板状レール３５の形状は、蟻溝フレーム１４の蟻溝１８やパイプ１１に取り付けることが可能なものであれば、特に限定されるものではなく、適宜形状を変更することができる。
【００３５】
軸部材４及び羽根部材５の構成は、上記実施形態と同じであり、ここでは、詳細な説明は省略するが、羽根部材５を、軸部材４の片側から略水平方向に延びるように設け、羽根部材５の先端部の貫通孔５０Ｂに取付補助具６を介してはたき片２を取り付けてもよいし、羽根部材５を、軸部材４の両側から略水平方向に延びるように設け、両側の先端部の貫通孔５０Ａ，５０Ｂに取付補助具６を介してはたき片２をそれぞれ取り付けてもよい。また、羽根部材５の先端部を中央部に対して捩ることで先端部を起こし、中央部に対して約９０度の角度をなすように変形させてもよい。
【００３６】
この実施形態の取付具１においても、上記実施形態と同様に、取付具１自体をプラスチックハウス１０の外表面に容易に固定することができる。そして、羽根部材５の貫通孔５０Ｂ（及び５０Ａ）に取付補助具６を介してはたき片２を連結することで、はたき片２をプラスチックハウス１０の外表面に取り付けることができ、はたき片２が風力によりハウス表面を広範囲に摺動することにより、ハウス表面の汚れを効率的に除去することができるうえ、ハウス内への太陽光の採光がハウス表面の汚れにより邪魔されることを防止できる。さらに、取付具１が、プラスチックハウス１０のパイプ１１やビニペット（登録商標）に装着可能に構成されているので、着脱が容易であるうえ、取付具１を所望の位置に取り付けることができる。また、軸部材４及び羽根部材５の構造も簡易であるので、低コストで製造することができる。
【００３７】
また、上記実施形態においては、園芸施設のひとつであるプラスチックハウス１０に取付具１を取り付けた例を説明したが、ガラス温室などにも本発明の取付具１を取り付けることは可能である。
【００３８】
また、上記実施形態においては、取付補助具６及び貫通孔５０Ａ，５０Ｂにより、はたき片２を羽根部材５の先端部に取り付けているが、これに限られるものではなく、はたき片２を羽根部材５の先端部に取付可能であれば、他の様々な手段を用いることができる。
【符号の説明】
【００３９】
１    取付具
２    はたき片
３    本体部材
４    軸部材
５    羽根部材
６    取付補助具
３０  筒状ホルダー
３２  カバー
３５  板状レール
【図１】
2014223056.tif 000003
【図２】
2014223056.tif 000004
【図３】
2014223056.tif 000005
【図４】
2014223056.tif 000006
【図５】
2014223056.tif 000007
【図６】
2014223056.tif 000008
【図７】
2014223056.tif 000009
【図８】
2014223056.tif 000010
【図９】
2014223056.tif 000011
【図１０】
2014223056.tif 000012
【図１１】
2014223056.tif 000013
【図１２】
2014223056.tif 000014
【図１３】
2014223056.tif 000015
【図１４】
2014223056.tif 000016
【図１５】
2014223056.tif 000017
【図１６】
2014223056.tif 000018